(57)【特許請求の範囲】
【請求項１】
蓄熱槽の対向する側壁の上部同士の間に設けられる棒状ないし索状の緊張した吊り部材と、
上端がその吊り部材に多数の連結ワイヤを介して吊られ、左右端がそれぞれ前記側壁に保持される柔軟性を有するシートと、
そのシートの上部／下部に形成された連通口に一端を連通し、シートの下部／上部の他端まで案内し、前記シートの表面に固定されて縦方向に延びる縦ダクト状の整流部材とを備え、
前記シートの側壁への保持が面ファスナにより行われる温度成層形の蓄熱槽の仕切り壁。
【請求項２】
蓄熱槽の対向する側壁の上部同士の間に設けられる棒状ないし索状の緊張した吊り部材と、
上端を折り返して縫い合わせた袋部に前記吊り部材を挿通することで吊られ、左右端がそれぞれ側壁に保持される柔軟性を有するシートと、
そのシートの上部／下部に形成された連通口に一端を連通し、シートの下部／上部の他端まで案内し、前記シートの表面に固定されて縦方向に延びる縦ダクト状の整流部材とを備え、
前記シートの側壁への保持が面ファスナにより行われる温度成層形の蓄熱槽の仕切り壁。
【請求項３】
コンクリート製の区画壁によって複数の水槽に区画され、連通口によって水槽同士が連結された既設の浄化槽あるいは蓄熱槽を、温度成層形の蓄熱槽へ変更するための整流部材であって、
前記区画壁に形成される連通口に対向して上下方向に傾斜する傾斜板と、
その傾斜板の側縁と区画壁との間を閉じる側面板とからなり、
前記傾斜板、側面板および仕切り壁により、連通口から水面あるいは蓄熱槽の底板付近まで水を案内する流路が形成されており、その流路の断面積が連通口から流路に沿って次第に大きくなるように形成されている整流部材。
【請求項４】
前記水槽の底板あるいは区画壁に固定される固定板と、その固定板から、前記傾斜板あるいは側面板の設置される角度に合わせて立ち上がる斜め板とからなる傾斜ブラケットを備えており、
その傾斜ブラケットの斜め板に、前記傾斜板の下端あるいは側面板の側縁が締結固定される請求項３記載の整流部材。
【請求項５】
コンクリート製の区画壁によって複数の水槽に区画され、連通口によって水槽同士が連結された既設の浄化槽あるいは蓄熱槽を、温度成層形の蓄熱槽へ変更するための整流部材であって、
前記区画壁のコーナ部近辺に形成される連通口に対向するように配置される上下方向に傾斜する三角形状ないしその上側を切り欠いた四角形状の傾斜板を備えており、
その傾斜板の両側縁が前記コーナ部を形成する両側の区画壁にそれぞれ固定され、
前記傾斜板および両側の区画壁により、水面あるいは水槽の底板付近まで水を案内する流路が形成されており、その流路の断面積が連通口から流路に沿って次第に大きくなるように形成されている整流部材。
【請求項６】
前記水槽の底板あるいは区画壁とにそれぞれ固定される固定板と、それら固定板から、前記傾斜板の設置される角度に合わせて立ち上がる斜め板とからなる傾斜ブラケットを備えており、
その傾斜ブラケットの斜め板に、前記傾斜板の下端あるいは側縁が締結固定される請求項５記載の整流部材。
【発明の詳細な説明】
【０００１】
【発明の属する技術分野】
本発明は水を熱媒体とする蓄熱槽の仕切り壁および整流部材に関する。さらに詳しくは、不要になった浄化槽を蓄熱槽に改造するのに適する仕切り壁および整流部材に関する。
【０００２】
大規模郊外型店舗（５，０００〜１０，０００坪）は商圏を早い段階で獲得するために、下水道などのインフラが未整備な街作りの初期段階で建設される。そのため、浄化槽を設けることが多い。浄化槽はコスト削減とスペースの有効利用を図るため、コンクリート製の地下埋設方式が採用される。ところが近郊の住宅建設が進み、下水道などのインフラが整備された時点では、大金を投じた浄化槽（３〜７億円）は不要となる。不要となった浄化槽は、臭気拡散防止、安全性の確保および土圧による水槽の浮き上がり防止のために、約５００〜１，０００万円をかけて汚泥除去の上、砂などで埋め戻される。
【０００３】
本発明はこのような背景の下で、不要になった浄化槽をできるだけ費用をかけずに蓄熱効率の高い水蓄熱システムの蓄熱槽として蘇らせ、それにより廃棄物の有効利用および自然環境の保護を達成しようとするものである。
【０００４】
【従来の技術】
従来、浄化槽を蓄熱槽に改造する技術は知られていない。しかしこれと関連する技術として、たとえば特開２０００−２９７９９３号などには、既設の大型の蓄熱槽を仕切り壁で仕切って小さい蓄熱槽に分割する技術や、区画壁の連通口からの水の流れを穏やかにするための整流板などが開示されている。すなわち冷却または加熱した水を蓄熱槽に蓄え、所望の時点で冷水または温水を取り出して冷房や暖房に使用する水蓄熱システムでは、新たに槽に戻す冷水（温水）と元の槽内の水とができるだけ混じらないように、いわばピストン流に近い流れとすることが望まれる。そのため、大型の蓄熱槽における対流をできるだけ少なくして、熱循環の効率を高めるため、仕切り壁で分割する技術が提案されている。この技術は本発明の基本的な目的である浄化槽の蓄熱槽への改造の技術と重なる。
【０００５】
前記特開２０００−２９７９９３号公報には、図１１に示すように、テント用の生地などからなるシート材１０１の両側縁を、蓄熱槽の区画壁１０２に沿って立設した支柱１０３、１０３に緊結し、支柱間にシート材１０１を張設することによって仕切り壁１０４とする技術を開示している。シート材１０１と底壁１０５との間には、水抜き用のわずかな隙間１０６を確保している。さらにシート材１０１の必要個所に連通口１０７を設けたり、保守作業用の開閉自在な点検口１０８を設けている。
【０００６】
また同公報には、図１２ａおよび図１２ｂに示すように、上記のシート材から構成した仕切り壁１０４で水槽内を仕切った混合型水槽１０９と、一方の区画壁１１０の上部の連通口１１１から流入させた水を対向する区画壁１１２の下部の連通口１１３から流出させる温度成層型水槽１１４とを組み合わせた蓄熱槽が開示されている。なお、区画壁１１０、１１２を貫通する連通口１１１、１１３に対向して配置され、水の流れを上向きあるいは下向きに制御する整流部材１１５、１１６が開示されている。
【０００７】
他方、特開平６−２４１５０９号には、図１３に示すような、区画壁１１０、１１２に設けた連通口１１１、１１３に面して矩形板の潜り堰１１７を設け、温度成層を乱さないように維持する技術が開示されている。
【０００８】
【発明が解決しようとする課題】
図１１の蓄熱槽は、仕切り壁を容易に設けることができる利点があるが、区画壁１０２に沿って支柱１０３を設ける必要がある。そのため浅い蓄熱槽では有利である半面、深い蓄熱槽では長い支柱を設ける必要があり、不利である。また、バネで突っ張るタイプの支柱を設けることにより、基礎駆体の制約を受けないようにしているが、そのため深さに応じた支柱を準備する必要がある。
【０００９】
また、図１２ｂの整流部材１１５、１１６は、連通口１１１、１１３から出てくる水流の向きを上向きあるいは下向きに変更することができるが、ほぼ直角に向きを変更するので、流れに乱れが生じ、それによって温度成層が乱れる。また、図１３の矩形板の潜り堰１１７は、温度成層を乱しにくいが、浄化槽や既設の蓄熱槽を改造する場合は、追加工事が大がかりになる。
【００１０】
本発明は深い蓄熱槽に対しても容易に設置することができ、しかも連通口の位置や高さの制約なしに種々の深さや形状の蓄熱槽に対して容易に適合させることができる簡易な仕切り壁を提供し、それにより浄化槽を容易に高効率な温度成層形の蓄熱槽に改造できるようにすることを技術課題としている。さらに本発明は、そのような仕切り壁に形成した連通口、あるいは既設の区画壁に形成されている種々の高さおよび位置（コーナ部など）の連通口に対して容易に適用することができる、簡易な構成の整流部材を提供し、それにより浄化槽などの蓄熱槽への改造を容易にすることを第２の技術課題としている。
【００１１】
【課題を解決するための手段】
本発明の温度成層形の蓄熱槽の仕切り壁（請求項１）は、蓄熱槽の対向する側壁の上部同士の間に設けられる棒状ないし索状の緊張した吊り部材と、上端を折り返して縫い合わせた袋部に前記吊り部材を挿通することで吊られ、左右端がそれぞれ側壁に保持される柔軟性を有するシートと、そのシートの上部／下部に形成された連通口に一端を連通し、シートの下部／上部の他端まで案内し、前記シートの表面に固定されて縦方向に延びる縦ダクト状の整流部材とを備え、前記シートの側壁への保持が面ファスナにより行われることを特徴としている。本発明の温度成層形の蓄熱槽の仕切り壁の第２の態様（請求項２）は、蓄熱槽の対向する側壁の上部同士の間に設けられる棒状ないし索状の緊張した吊り部材と、上端を折り返して縫い合わせた袋部に前記吊り部材を挿通することで吊られ、左右端がそれぞれ側壁に保持される柔軟性を有するシートと、そのシートの上部／下部に形成された連通口に一端を連通し、シートの下部／上部の他端まで案内し、前記シートの表面に固定されて縦方向に延びる縦ダクト状の整流部材とを備え、前記シートの側壁への保持が面ファスナにより行われることを特徴とする。
【００１３】
本発明の整流部材（請求項３）は、コンクリート製の区画壁によって複数の水槽に区画され、連通口によって水槽同士が連結された既設の浄化槽あるいは蓄熱槽を、温度成層形の蓄熱槽へ変更するための整流部材であって、前記区画壁に形成される連通口に対向して上下方向に傾斜する傾斜板と、その傾斜板の側縁と区画壁との間を閉じる側面板とからなり、前記傾斜板、側面板および仕切り壁により、連通口から水面あるいは蓄熱槽の底板付近まで水を案内する流路が形成されており、その流路の断面積が連通口から流路に沿って次第に大きくなるように形成されていることを特徴としている。
また、前記水槽の底板あるいは区画壁に固定される固定板と、その固定板から、前記傾斜板あるいは側面板の設置される角度に合わせて立ち上がる斜め板とからなる傾斜ブラケットを備えており、その傾斜ブラケットの斜め板に、前記傾斜板の下端あるいは側面板の側縁が締結固定されるものが好ましい（請求項４）。
【００１４】
本発明の整流部材の他の態様（請求項５）は、コンクリート製の区画壁によって複数の水槽に区画され、連通口によって水槽同士が連結された既設の浄化槽あるいは蓄熱槽を、温度成層形の蓄熱槽へ変更するための整流部材であって、前記区画壁のコーナ部近辺に形成される連通口に対向するように配置される上下方向に傾斜する三角形状ないしその上側を切り欠いた四角形状の傾斜板を備えており、その傾斜板の両側縁が前記コーナ部を形成する両側の区画壁にそれぞれ固定され、前記傾斜板および両側の区画壁により、水面あるいは水槽の底板付近まで水を案内する流路が形成されており、その流路の断面積が連通口から流路に沿って次第に大きくなるように形成されていることを特徴としている。
また、前記水槽の底板あるいは区画壁とにそれぞれ固定される固定板と、それら固定板から、前記傾斜板の設置される角度に合わせて立ち上がる斜め板とからなる傾斜ブラケットを備えており、その傾斜ブラケットの斜め板に、前記傾斜板の下端あるいは側縁が締結固定されるものが好ましい（請求項６）。
【００１５】
【作用および発明の効果】
本発明の仕切り壁（請求項１および請求項２）は、蓄熱槽の対向する側壁の間に棒状ないし索状の吊り部材を設けており、その吊り部材にシートを吊るしている。そのためシートの重量は吊り部材によって支持される。シートに加わる水圧はシートの両側で実質的に平衡しており、水の流れに応じてわずかに揺らぐ程度である。そのため、従来例のような支柱を使用する必要がなく、蓄熱槽の深さが深い場合でも、設置が容易である。そして側壁に対してはシートの側縁を面ファスナによって保持させているだけでよく、どのような深さの蓄熱槽に対しても、容易に適合させることができる。したがって、浄化槽を蓄熱槽に改造することが容易である。もちろん既設の蓄熱槽の通水経路を長くして蓄熱効率を向上する改造工事などのためにも採用しうる。
【００１６】
また、仕切り壁のシートの上部／下部に形成された連通口に一端を連通し、シートの下部／上部の他端まで案内し、前記シートの表面に固定されて縦方向に延びる縦ダクト状の整流部材を設けるので、仕切り壁で仕切られる一方の画室の上部と、他方の画室の下方とが整流部材で連通される。そのため、一方の画室の上層部の水を他方の画室の下方に静かに移動させることができる。それによりそれぞれの画室内の温度成層を乱すことがなく、通水経路を長くすることができる。すなわちそれぞれの画室内では、下層より上層の温度が高くなる温度成層が形成されているが、上記のように整流部材で連結すると、一方の画室の水の温度が他方の画室の水の温度より低い場合に、低温の水が下層に流れ込むことになる。それによって他方の画室内の温度成層は乱れない。なお、他方の画室から一方の画室に逆向きに水を流す場合も同様である。
【００１９】
本発明の整流部材の第１の態様（請求項３）は、連通口に対向して上下方向に傾斜する傾斜板が配置されているので、連通口から流出する水は傾斜板に当たり、下方あるいは上方に滑らかに向きを変える。そして傾斜板と側面板とで囲まれる断面積が次第に大きくなる、いわばラッパ状の通路により、下方あるいは上方に案内される。したがって、水面または底板付近の流速が減少されて画室内の温度成層に乱れを生じない。また傾斜板で方向転換される水の反力が傾斜板に加わるが、傾斜板の上部および側面板を仕切り板に連結することにより、反力を分散させることができる。そのため耐力はそれほど強くなくてもよい。
また、前記水槽の底板あるいは区画壁に固定される固定板と、その固定板から、前記傾斜板あるいは側面板の設置される角度に合わせて立ち上がる斜め板とからなる傾斜ブラケットを備えており、その傾斜ブラケットの斜め板に、前記傾斜板の下端あるいは側面板の側縁が締結固定される場合は（請求項４）、前記傾斜板あるいは側壁を槽の側壁に密接に取り付けることができる。
【００２０】
本発明の整流部材の第２の態様（請求項５）は、隣接する区画壁（仕切り壁）同士で構成されるコーナ部の近辺に連通口が形成されている場合に採用するものであり、コーナ部を塞ぐように、それぞれ側縁が仕切り壁に当接するように配置される。そのため上下方向に傾斜するほか、左右方向に対しても傾斜し、それぞれの仕切り壁に対して三角形状あるいは四角形状の傾斜板の側縁が当接することになる。そのため側面部材が不要であり、反力も一層広く分散される。
また、前記水槽の底板あるいは区画壁とにそれぞれ固定される固定板と、それら固定板から、前記傾斜板の設置される角度に合わせて立ち上がる斜め板とからなる傾斜ブラケットを備えており、その傾斜ブラケットの斜め板に、前記傾斜板の下端あるいは側縁が締結固定される場合は（請求項６）、前記傾斜板槽の側壁に密接に取り付けることができる。
【００２１】
【発明の実施の形態】
つぎに図面を参照しながら本発明の仕切り壁および整流部材の実施の形態を説明する。図１ａおよび図１ｂはそれぞれ本発明の仕切り壁の一実施形態を蓄熱槽に取り付けた状態で示す正面図および平面図、図２ａは図１ｂの要部拡大図、図２ｂは本発明の仕切り壁の他の実施形態を示す平面図、図２ｃ、図２ｄ、図２ｅはそれぞれ本発明の仕切り壁のさらに他の実施形態を示す要部拡大平面図、図３ａ、図３ｂおよび図３ｃはそれぞれ本発明に関わる蓄熱システムの回路図、作用説明図および水温分布グラフ、図４ａ、図４ｂおよび図４ｃはそれぞれ本発明の仕切り壁のさらに他の実施形態を示す側断面図、平面断面図および一部切り欠き正面図、図４ｄは本発明の仕切り壁のさらに他の実施形態を示す側断面図、図５ａ、図５ｂおよび図５ｃはそれぞれ本発明の整流部材のさらに他の実施形態を示す側断面図、正面図および斜視図、図６は前記整流部材の取り付け状態の一実施形態を示す断面図、図７ａ、図７ｂ、図８ａおよび図８ｂはそれぞれ本発明の整流部材の他の実施形態を示す斜視図、図９ａおよび図９ｂはそれぞれ本発明の整流部材を取り付けた蓄熱槽の実施形態を示す平面図および側断面図である。
【００２２】
図１ａおよび図１ｂに示す仕切り壁１０は、蓄熱槽Ｔの対向する側壁１１の上部同士の間に設けられるロッドまたはワイヤなどからなる吊り部材１２と、上端がその吊り部材１２に対して多数の連結ワイヤ１３を介して吊られているシート１４とを備えている。シート１４の左右端は、側壁１１の表面（内面）によって保持されている。図１ａに示すように、シート１４の下端は自由にされており、その下端と蓄熱槽Ｔの底面１５との間には、メンテナンス時に水を抜くためのわずかな隙間１６があいている。シート１４の上部あるいは下部近辺には、想像線で示すように、隣接する画室との連通のための連通口１７が形成されている。それによって上下に順に迂回する通水経路を形成することができる。なお、左端近辺または右端近辺に連通口を設けて左右に迂回する通水経路を構成することもできる。
【００２３】
吊り部材１２の両端は、直接側壁１１に固着してもよく、側壁１１に固定したブラケットに連結してもよい。吊り部材１２の中央は分離しており、それらの分離端同士はターンバックル２０によって連結されている。したがって吊り部材１２は、両端を側壁１１に連結した後、ターンバックル２０を回転させることにより、緊張させることができる。
【００２４】
シート１４はたとえば塩化ビニル樹脂などの柔軟性を有する合成樹脂シートが用いられる。ただし硬い薄板状のシート、メタルシートでもよい。さらに発泡樹脂シートを挟んでサンドイッチ構造にした断熱性が高いシートを採用することもできる。シート１４の上端には、連結ワイヤ１３の下端が連結されるが、その部分を補強シートなどで補強してもよい。また、シート１４の上端を折り返して縫い合わせることにより細長い袋部を設け、その袋部にロッドやワイヤなどの吊り部材１２を通すこともできる。
【００２５】
図２ａ〜２ｅに示すように、シート１４の側縁は蓄熱槽の側壁１１に面ファスナ２４ａ、２４ｂによって取り付けられている。図２ａの場合は、シート１４の端部が折り曲げられ、その折り曲げ部１４ａが面ファスナ２４ａの裏面の半分の範囲に接着または縫い合わせにより連結されている。したがってシート１４に加わる張力は、面ファスナ２４ａの中央近辺で支持される。そのため外れにくい。側壁１１側にはその面ファスナ２４ａの表側と着脱自在に付着される面ファスナ２４ｂが接着あるいは両面テープで取り付けられている。図２ｂの場合は、面ファスナ２４ａの裏面に９０度（Ｌ字状）に折り曲げた布製などの補強シート２３を縫い合わせ、その補強シート２３の縦の部分にシート１４の端部を縫い合わせている。このものは面ファスナ２４ａの端部にシート１４が連結される。そのため取り付けはシート１４の片側だけで行うことができる。側壁１１側の面ファスナ２４ｂは図２ａの場合と同じである。
【００２６】
図２ｃはＴ字状に縫い合わせた補強シート２３ａを用いるほかは図２ｂの場合と同様である。このものも面ファスナ２４ａ、２４ｂの中央部でシート１４の張力を支持することができる。図２ｄの場合は、面ファスナ２４ａの裏面側に接着または逢着したシート１４の端部の上に、板状の補強プレート２３ｂが重ねられ、一緒に縫い合わせあるいは接着されている。そのため付着強度が高い。他の点は図２ａの場合と同じである。図２ｅ場合は、図２ｃにおける補強シート２３ａに代えて断面Ｔ字状の補強部材２３ｃを用いている。他の点は図２ｃと同じである。なお、図２ｂの断面Ｌ字状の補強シート２３も断面Ｌ字状の補強部材を用いることができる。補強プレート２３ａや補強部材２３ｂは軽量にするため合成樹脂が好ましい。なお、シート１４は面ファスナを用いずに、直接側壁１１に接着することもできる。
【００２７】
上記のように構成される仕切り壁１０は、図３ａに示すように、比較的長い１個の蓄熱槽Ｔをいくつかの画室（水槽）２６に仕切るために用いられる。そしてシート１４は軽量であるので、支持構造も簡易なものでよく、設置工事も容易である。したがってそれぞれの画室２６に充填される水は互いに混合することがなく、温度差を維持することができる。また、通常は複数個の蓄熱槽Ｔの全体の画室は、互いに直列状に連通させ、図３ａに示すように、一端（低温側：たとえば５℃）側の画室２６ａには冷凍機２７の吐出口２８が開口し、負荷２９に冷水を送るポンプＰ１の吸い込み口３０が漬けられる。また、他端（高温側：たとえば１０℃）の画室２６ｂには、冷凍機２７へのポンプＰ２の吸い込み口３１が漬けられ、負荷２９からの吐出口３２が開口している。
【００２８】
それにより低料金の夜間電力で低温側の画室２６ａから順に高温側に向かって適切な範囲まで冷水を蓄積していき、日中に低温側の冷水をポンプＰ１で汲み上げていくことができる。冷水を蓄積する場合は図３ｂの矢印Ｓ１に示すように低温側の水Ｗ１が増加し、高温側の水Ｗ２が低減することにより境界層３３が高温側（図面の右側）に移動する。冷水を汲み上げていく場合は低温側の水Ｗ１が減少し、高温側の水Ｗ２が増加し、境界層３３が低温側に移動する。それらの場合、水の流れが緩慢で、通水経路が屈曲して長いため、図３ｃのように境界層３３の範囲が充分に狭い。そのため蓄熱効率が高い。なお図３ｃの符号Ｒ１は理想的な温度分布状態を、Ｒ２は現実の温度分布をそれぞれ示している。なお、冬期の暖房時は冷凍機のヒートポンプ運転により温水を作り、その温水を蓄熱槽から汲み上げて、冷水を戻す。
【００２９】
図４ａ〜ｃは前述の仕切り壁１０に整流部材３５を設けた実施形態を示している。前述のように仕切り壁１０のシート１４の上部または下部には連通口１７が形成されているが、この実施形態ではシート１４の片面に、シートの上部に形成されている連通口１７をシートの下端部まで案内するための筒状の整流部材３５を設けている。整流部材３５は、図４ｂに示すように、断面コ字状で縦方向に延びる縦ダクト３６と、縦部材の下端からシートと反対側に突出するラッパダクト（ラッパ状の案内板）３７と、縦ダクト３６をシート１４に取り付ける取り付け部材３８とから構成されている。取り付け部材３８はたとえば断面Ｌ字状の部材を２個１組とし、表裏からシート１４を挟んでボルト・ナット３９で固定する。そしてそれらの取り付け部材３８を左右に一対で設け、縦ダクト３６を取り付ける。縦ダクト３６の上端は、ワイヤ１３などを介してシート１４を吊るための吊り部材１２に連結するのが好ましい。それにより縦ダクト３６を倒れないように安定して支持することができる。なお、コンクリート用のネジなどで水槽の床面に固定するようにしてもよい。この実施形態では断面コ字状の縦ダクト３６のうち、仕切り壁１０と対向している部位３６ａが請求項４の対向板であり、両側の部位３６ｂと取り付け部材３８の立ち上がり部が請求項４の側面板である。
【００３０】
縦ダクト３６の上端側およびラッパダクト３７の下端側は、開放されていてもよく、またプレートなどで閉じるようにしてもよい。縦ダクト３６およびラッパダクト３７はたとえば硬質あるいは軟質の合成樹脂のシートで形成しうる。仕切り壁１０のシート１４と実質的に同じシートを使用してもよい。さらにステンレスなどの金属でもよい。なお、図４ｃの符号３４は水抜きのためのネズミ穴である。この実施形態では、シート整流部材３５以外は図１などの仕切り壁１０と実質的に同じにすることができる。
【００３１】
このものは、図４ａに示すように、隣接する左側の画室２６ｃの上部から連通口１７を通って右側の画室２６ｄに入ってくる水を、整流部材３５で他の水と混じらないように下端近辺まで案内し、ラッパダクト３７で拡げながら放出することができる（図４ａの実線の矢印Ｄ１参照）。したがって図の左側の画室２６ｃの水温が右側の画室２６ｄの水温より低い場合、その低い温度の水が右側の画室２６ｄの底部に放出されるので、右側の画室２６ｄ内の水の温度成層は乱れない。さらにラッパダクト３７で拡げながら放出されるので、水流が遅くなり、そのため一層乱れにくい。
【００３２】
逆に右側から左側に水が移動する場合（図４ａの想像線の矢印Ｄ２参照）は、温度が高い水は左側の画室２６ｃの上部に放出されるので、左側の画室内の水の温度成層が乱れない。その場合はラッパダクト３７から縦ダクト３６へ水が流れ込むときの水流をスムーズにし、右側の画室２６ｄの温度成層に乱れを生じないようにすることができる。なお、想像線で示すように、左側の画室２６ｃに、縦ダクト３６の上端に連結されるラッパダクト３７を設けることもできる。その場合は一層左側の画室２６ｃへの流れに乱れが生じにくい。また、縦ダクト３６の下部にラッパダクト３７と反対側に延びる支持脚３７ａを設けることもできる。その場合は一層ダクトが倒れにくい。
【００３３】
図４ｄはラッパダクト３７を縦ダクト３６の上部に設けた場合を示している。他の構成は図４ａの場合と同じである。なお、図４ａの縦ダクト３６などを上下逆に取り付けることによっても実現しうる。このものは左側の画室２６ｃに高温の水が、右側の画室２６ｄに低温の水が入る場合に使用される。そしてラッパダクト３７が上端に設けられているので、実線のように左側から右側に流れるとき、右側の画室２６ｄ内の水流の乱れを防止することができる。このものも左側の画室２６ｃに、縦ダクト３６の下部に連結されるラッパダクト３７や、支持脚３７ａを設けるのが好ましい。
【００３４】
図５ａ〜ｃに示す整流部材４０は、コンクリート製の区画壁（仕切り壁）４１に形成した連通口４２に対向して配置される台形状の傾斜板４０ａと、その傾斜板の側縁と区画壁４１との間を閉じるための三角形状の側面板４０ｂとから構成されている。傾斜板４０ａの上端は区画壁４１に密接されている。ただし上端が水面より上方にある場合は、開放していてもよい（想像線で示す開口４５参照）。傾斜板４０ａの下端側には、傾斜板４０ａの幅一杯に、水を通す隙間４４が設けられている。側面板４０ｂは、通常は区画壁４１に対して直角にするが、側面板４０ｂ同士を前方（図面の手前側）に向かって拡がるように配置してもよい。傾斜板４０ａおよび側面板４０ｂは合成樹脂シート、合成樹脂プレートあるいはステンレスなどの金属板などで構成される。
【００３５】
上記のように構成される整流部材４０は、図５ａに示すように、連通口４２から流れ出る水を下向きに変え、画室内の底部に近辺に放出する機能を奏する。そしてこの点で、図４ａなどの整流部材３５と同じである。そしてこの実施形態の整流部材４０の傾斜板４０ａは、図５ａの矢印Ｓ１で示す連通口４２から入ってくる水の運動量を、傾斜板と平行な成分Ｓ２と垂直な成分Ｓ３に分割し、平行な成分Ｓ２のみで下向きに流す働きを奏する。その場合、それ傾斜板４０ａの蓄熱槽の底面１５に対する角度が大きい場合（４０〜８０度程度）、下向きの成分Ｓ２がかなり小さくなる。また、斜め上向きの成分Ｓ３が整流部材４０に加わる抵抗となるが、図４ａのように直角に当たる場合に比して、減少している。そのため、整流部材４０を支持する力は少なくて済む。
【００３６】
他方、傾斜板４０ａ、左右の側面板４０ｂおよび区画壁４１で囲まれる断面矩形状の流路の断面積は、下方に行くにつれて次第に大きくなる。そして下端近辺の広い面積の隙間４４から画室内に流れる。したがって斜め下向きの成分Ｓ２が小さいことと相まって、流速が緩和され、かつ均一になる。そのため画室内はほとんど乱されず、温度成層が乱されない。浄化槽を蓄熱槽に改造する場合、連通口４２の位置や高さ、あるいは大きさを変えることができない場合があるが、そのような場合にこの整流部材４０を用いると、小口径の連通口でその流速が大きい場合でも、流速が減少され、かつ均一になるので、温度成層形の蓄熱槽として利用することができる。
【００３７】
図６は傾斜板４０ａの底面１５への取り付け方法を示している。底面１５にはゴムシートなどの断熱性および防水性を備えているライニング４７が張られている。ライニング４７の上には、平板４８ａと、その中央からに斜めに立ち上がる斜め板４８ｂとからなる傾斜ブラケット（金枠）４８が配置され、アンカ４９によって底面１５に固定されている。傾斜ブラケット４８には、傾斜板４０ａの下端がボルト・ナット５０により固定されている。前述の隙間４４は、傾斜板４０ａの下端に設けられるボルト取り付け領域５１の上部に設けられる。ライニング４７の上部には、傾斜ブラケット４８の平板４８ａおよびアンカ４９を埋めるエポキシ樹脂とグラスウールなどからなるライニング層５２が設けられている。なお、前記ゴムシートなどのライニング４７は底面１５の凹凸をなだらかにする働きがある。床面１５が平坦な場合は、そのゴムシートなどのライニング４７を省略することができる。傾斜ブラケット４８やアンカ４９およびボルト・ナット５０はステンレス製のものが好ましい。傾斜ブラケット４８は底面１５と傾斜板４０ａを連結するほか、角度を合わせて、傾斜板４０ａの上端および側面板４０ｂの側縁をそれぞれ区画壁４１に固定する場合に使用することができる。
【００３８】
図５ａ〜ｃの整流部材４０は区画壁４１のほぼ中央部に設けられている連通口４２に使用するものであるが、図７ａ、図７ｂはそれぞれ連通口４２が区画壁４１のコーナ部にある場合に用いる整流部材を示している。この整流部材５４は、三角形状、またはその上端側を切り欠いた四角形状の傾斜板５４ａと、それを床面１５および区画壁４１に取り付けるための傾斜ブラケット（図示省略）などから構成されている。傾斜板５４ａの側縁は直接区画壁４１に固定されており、側面板は用いる必要がない。他の点については、図５ａ〜ｃの整流部材４０と実質的に同じである。
【００３９】
図８ａは連通口４２が区画壁４１のコーナ部に設けられている場合で、水を水面側に案内するための整流部材５６を示している。この整流部材５６は図７ａの整流板５４を上下逆に設けることによって構成することもできる。ただし上端の固定は不要である。なお、傾斜板５６ａの位置によっては、図７ｂの場合と同じように頂部を切り欠いた四角形状にすることもでき、その場合の下端は区画壁４１または底面１５に接する。
【００４０】
図８ｂは連通口４２が区画壁４１の中央部に設けられている場合で、水を水面側に案内するための整流部材５８を示している。この整流部材５８は図５ａ〜ｃの整流部材４０を上下逆に設けることによって構成することもできる。ただし上端の固定は不要である。
【００４１】
図９ａおよび図９ｂは前述の整流部材４０、５４、５６、５８を用いて浄化槽を蓄熱槽Ｔに改造した実施形態を示している。符号６０は防水性および断熱性を有するライニングであり、Ｐ１は冷水または温水を汲み上げるポンプである。図９ａおよび図９ｂに示すように、浄化槽は平面形状および深さが均一でなく、連通口４２の位置や高さも区々である。しかも隣接する水槽同士を区画する区画壁に設けられる連通口４２の径が小さい。そのため、連通口の位置を変えたり、拡げたり、あるいは深さを変えたりして通常の蓄熱槽の形態に改造する場合は大がかりな工事が必要となる。
【００４２】
しかし前述の整流部材４０、５４、５６、５８を連通口４２の近辺に設置することにより、小径の連通口４２であっても連通口から流れ出る水の速度を遅くすることができる。そのため温度成層を乱さないようにすることができる。また、傾斜した整流部材により、隣接する一方の水槽から他方の水槽の底部あるいは上部に導くことができるので、一層温度成層を乱さない。なお、図９ｂでは、高さ方向の中間に近い位置にあるので、隔壁４１の右側の水槽には上に向かって傾斜する整流部材５６、５８を設け、他方の水槽には下向きの整流部材５４、４０を設けている。それにより、右側の水槽の上部の水を左側の水槽の下部に流すことができる（冷却時）。そして不要な連通口を塞ぎ、一連の通水経路を構成することにより、熱効率が高い蓄熱槽Ｔとして利用することができる。
【００４３】
他方、図１０ａのように、連通口４２が上に片寄っている場合には、右側の水槽では上向きに案内する必要がないので、上向きに傾く整流部材を省略することができる。また、図１０ｂのように連通口４２が下側に片寄っている場合も、左側の下向きの整流部材を省略することができる。ただしいずれの場合も、省略した側の水槽では連通口４２の流速による乱れの影響は残る。
【図面の簡単な説明】
【図１】  図１ａおよび図１ｂはそれぞれ本発明の仕切り壁の一実施形態を蓄熱槽に取り付けた状態で示す正面図および平面図である。
【図２】  図２ａは１ｂの要部拡大図、図２ｂは本発明の仕切り壁の他の実施形態を示す平面図、図２ｃ、図２ｄ、図２ｅはそれぞれ本発明の仕切り壁のさらに他の実施形態を示す要部拡大平面図である。
【図３】  図３ａ、図３ｂおよび図３ｃはそれぞれ本発明に関わる蓄熱システムの回路図、作用説明図および水温分布グラフである。
【図４】  図４ａ、図４ｂおよび図４ｃはそれぞれ本発明の仕切り壁のさらに他の実施形態を示す側断面図、平面断面図および一部切り欠き正面図、図４ｄは本発明の仕切り壁のさらに他の実施形態を示す側断面図である。
【図５】  図５ａ、図５ｂおよび図５ｃはそれぞれ本発明の整流部材のさらに他の実施形態を示す側断面図、正面図および斜視図である。
【図６】  前記整流部材の取り付け状態の一実施形態を示す断面図である。
【図７】  図７ａおよび図７ｂはそれぞれ本発明の整流部材の他の実施形態を示す斜視図である。
【図８】  図８ａおよび図８ｂはそれぞれ本発明の整流部材の他の実施形態を示す斜視図である。
【図９】  図９ａおよび図９ｂはそれぞれ本発明の整流部材を取り付けた蓄熱槽の実施形態を示す平面図および側断面図である。
【図１０】  図１０ａおよび図１０ｂはそれぞれ本発明の整流部材を取り付けた蓄熱槽の実施形態を示す側断面図である。
【図１１】  従来の仕切り壁の一例を示す正面図である。
【図１２】  図１２ａおよび図１２ｂはそれぞれ図１１の仕切り壁を用いた蓄熱槽の一例を示す平面図および立断面図である。
【図１３】  従来の蓄熱槽の他の例を示す立断面図である。
【符号の説明】
１０  仕切り壁
１１  側壁
１２  吊り部材
１３  連結ワイヤ
１４  シート
Ｔ  蓄熱槽
１５  底面
１６  隙間
１７  連通口
２０  ターンバックル
２３、２３ａ  補強シート
２３ｂ  補強プレート
２３ｃ  補強部材
２４ａ、２４ｂ  面ファスナ
２６、２６ａ、２６ｂ  画室
２７  冷凍機
２８  吐出口
２９  負荷
Ｐ１、Ｐ２  ポンプ
３０、３１  吸い込み口
３２  吐出口
Ｗ１  低温側の水
Ｗ２  高温側の水
３３  境界層
Ｒ１、Ｒ２  温度分布
３４  ネズミ穴
３５  整流部材
３６  縦ダクト
３７  ラッパダクト
３７ａ  支持脚
３８  取り付け部材
３９  ボルト・ナット
３６ａ  対向している部位（対向板）
３６ｂ  両側の部位（側面板）
２６ｃ  左側の画室
２６ｂ  右側の画室
４０  整流部材
４１  区画壁
４２  連通口
４０ａ  傾斜板
４０ｂ  側面板
４４  隙間
４５  開口
Ｓ１  運動量
Ｓ２  平行な成分
Ｓ３  垂直な成分
４７  ライニング
４８  傾斜ブラケット
４８ａ  平板
４８ｂ  傾め板
４９  アンカ
５０  ボルト・ナット
５１  ボルト取り付け領域
５２  ライニング層
５４  整流部材
５４ａ  傾斜板
５６  整流部材
５８  整流部材
６０  ライニング
【図１】
0003924186.tif 000002
【図２】
0003924186.tif 000003
【図３】
0003924186.tif 000004
【図４】
0003924186.tif 000005
【図５】
0003924186.tif 000006
【図６】
0003924186.tif 000007
【図７】
0003924186.tif 000008
【図８】
0003924186.tif 000009
【図９】
0003924186.tif 000010
【図１０】
0003924186.tif 000011
【図１１】
0003924186.tif 000012
【図１２】
0003924186.tif 000013
【図１３】
0003924186.tif 000014